(57)【要約】  本発明は、それぞれ少なくとも１つのペイロードデータシーケンスと１つの情報データシーケンス（ＴＯＣ）とを含む光記憶ディスク（５）のための、再生装置であって、当該再生装置に挿入された光記憶ディスク（５）の情報データシーケンスを読み出すための読出ユニット（６）と、メモリユニット（９）と、コピーコマンドを生成するためのユーザーインターフェース（８）と、制御ユニット（７）とを有し、その制御ユニット（７）が、挿入された光記憶ディスク（５）の情報データシーケンスから、一義的な識別（ＩＤ１）を特定するように設計されたサブユニットと、コピーコマンドの受取後において、メモリユニット内に存在するレジスタ（Ｖ−ＩＤ１、Ｖ−ＩＤ２）を検査し、上記の一義的な識別により特徴が指定されるレジスタがまだ存在しない場合には、かかるレジスタを生成するためのサブユニットとを有するような、再生装置に関するものである。
2008503846.tif 000002
【特許請求の範囲】
【請求項１】
それぞれ少なくとも１つのペイロードデータシーケンスと１つの情報データシーケンスとを含む光記憶ディスクのための、再生装置であって、
当該再生装置に挿入された光記憶ディスクの前記情報データシーケンスを読み出すための読出ユニットと、
メモリユニットと、
コピーコマンドを生成するためのユーザーインターフェースと、
制御ユニットとを有し、
前記制御ユニットが、
前記挿入された光記憶ディスクの前記情報データシーケンスから、一義的な識別を特定するように設計された第１のサブユニットと、
前記コピーコマンドの受取後において、前記メモリユニット内に存在するレジスタを検査し、前記一義的な識別により特徴が指定されるレジスタがまだ存在しない場合には、かかるレジスタを生成するための第２のサブユニットとを有することを特徴とする再生装置。
【請求項２】
前記ユーザーインターフェースが、前記挿入された光記憶ディスクの少なくとも１つのペイロードデータシーケンスを選択するための、選択パラメータをさらに生成するように設計されており、
前記制御ユニットが、第３のサブユニットを含み、
該第３のサブユニットが、前記選択パラメータの受取後において、
−  選択された前記ペイロードデータシーケンスの一義的な指定を生成し、
−  すでに存在するペイロードデータシーケンスのコピーに関し、前記挿入された光記憶ディスクの前記一義的な識別を有するレジスタを検査し、
−  選択された前記ペイロードデータシーケンスのコピーが存在しない場合に、選択された前記ペイロードデータシーケンスの読出し、および読み出された該ペイロードデータシーケンスの前記レジスタ内へのコピーを行うように、前記読出ユニットを制御し、該制御の間において、前記ペイロードデータシーケンスの前記コピーに、前記一義的な指定が付与されることを特徴とする請求項１記載の再生装置。
【請求項３】
コピー中においてペイロードデータシーケンスを圧縮および／または符号化するコンバータを、さらに備えていることを特徴とする請求項１または２記載の再生装置。
【請求項４】
前記読出ユニットと、前記制御ユニットと、前記メモリユニットとが、当該再生装置の１つのモジュール内に配されていることを特徴とする請求項１から３いずれか１項記載の再生装置。
【請求項５】
前記制御ユニットは、前記挿入された光記憶ディスク上の前記ペイロードデータシーケンスと、前記メモリユニット内の前記ペイロードデータシーケンスの前記コピーとが、任意の所望のシーケンスで再生されるような、ペイロードデータシーケンスの選択的な再生動作のため、前記読出ユニットおよび前記メモリユニットにアクセスするものであることを特徴とする請求項１から４いずれか１項記載の再生装置。
【請求項６】
前記制御ユニットが、ペイロードデータシーケンスの選択的な再生動作のために、前記光記憶ディスク上にあるオリジナルの前記ペイロードデータシーケンスに優先して、前記メモリユニット内にある対応の前記ペイロードデータシーケンスの前記コピーを用いることを特徴とする請求項５記載の再生装置。
【請求項７】
少なくとも１つのペイロードデータシーケンスと１つの情報データシーケンスとを含む光記憶ディスクのための、メモリユニットを含む再生装置を動作させる方法であって、
前記再生装置に挿入された光記憶ディスクから、前記情報データシーケンスを読み出す工程と、
前記情報データシーケンスから、前記挿入された光記憶ディスクに一義的に割り当てられた識別子を生成する工程と、
コピーコマンドを受け取る工程と、
前記メモリユニット内に存在するレジスタを検査する工程と、
前記挿入された光記憶ディスクに一義的に割り当てられた前記識別子により特徴が指定されるレジスタがまだ存在しない場合には、かかる新規なレジスタを生成する工程とを含むことを特徴とする方法。
【請求項８】
少なくとも１つのペイロードデータシーケンスを選択する選択パラメータを受け取る工程と、
選択された前記ペイロードデータシーケンスについて、一義的な指定を生成する工程と、
前記挿入された光記憶ディスクに一義的に割り当てられた前記識別子を有する前記レジスタの、内容を検査する工程と、
選択された前記ペイロードデータシーケンスのコピーが前記レジスタ内に記憶されていない場合、前記選択された前記ペイロードデータシーケンスを、前記挿入された光記憶ディスクから前記レジスタ内にコピーする工程とを含み、
前記ペイロードデータシーケンスの前記コピーは、前記一義的な指定を付与されることを特徴とする請求項７記載の方法。
【発明の詳細な説明】
【技術分野】
【０００１】
本発明は、光記憶ディスクの内容をコピーすることのできる追加メモリユニットを備える、光記憶ディスクのための再生装置に関するものである。本発明はまた、かかる再生装置を動作させる方法にも関するものである。
【背景技術】
【０００２】
光記憶ディスクの内容をコピーすることのできる追加メモリユニットを備える、光記憶ディスク（特にオーディオＣＤ、ＣＤ−ＲＯＭ、ＳＡＣＤ、ＤＶＤ等）のための再生装置自体は、知られている。かかる再生装置は、上記のメモリユニットとして、サイズによっては何十枚ものオーディオＣＤをコピーすることができる、ハードディスクドライブ（ＨＤＤ）を有することが多い。また、ＭＰ３スティックを伴う再生装置を提供することも知られている。この場合、オーディオＣＤの内容は、ＭＰ３符号化フォーマットで、再生装置として使用することのできるＭＰ３スティックのフラッシュメモリ上にコピーされる。
【発明の開示】
【発明が解決しようとする課題】
【０００３】
光記憶ディスクのための再生装置の分野、特に車載用の分野では、大きさ、コスト、ユーザーフレンドリ性が、重要な役割を占めている。
【０００４】
そのため、本発明の１つの目的は、特に車載用の分野における要請が満足される、光記憶ディスクのための再生装置、およびかかる再生装置を動作させる方法を提供することである。
【課題を解決するための手段】
【０００５】
上記の目的は、それぞれ少なくとも１つのペイロードデータシーケンスと１つの情報データシーケンスとを含む光記憶ディスクのための、再生装置であって、当該再生装置に挿入された光記憶ディスクの情報データシーケンスを読み出すための読出ユニットと、メモリユニットと、コピーコマンドを生成するためのユーザーインターフェースと、制御ユニットとを有し、その制御ユニットが、挿入された光記憶ディスクの情報データシーケンスから、一義的な識別を特定するように設計された第１のサブユニットと、コピーコマンドの受取後において、メモリユニット内に存在するレジスタを検査し、上記の一義的な識別により特徴が指定されるレジスタがまだ存在しない場合には、かかるレジスタを生成するための第２のサブユニットとを有するものであることを特徴とする再生装置により、達成される。
【０００６】
ここで、「一義的」との用語は、一義的な識別が、非常に高い確からしさで生じることを意味する。互いに孤立したケースにおいて、２つの光記憶ディスクの識別が同一となることは、許容されるべきである。
【０００７】
また、「読出ユニット」との用語は、その読出ユニットがさらに、光記憶ディスクに書込みを行う役割も担う可能性を排除するものではない。
【０００８】
さらに、「サブユニット」との用語は、制御ユニットの独立したプロセッサもしくはプロセッサに常時接続された部分、またはプロセッサ上で実行されるソフトウェアの両方を表すものとする。
【０００９】
本発明に係る再生装置は、メモリユニット内にレジスタを生成するに際し、ユーザーインタラクションを避けるものである。本発明は、とりわけ車載用分野のオーディオ装置をカバーするものなので、ユーザーが注意をそがれることなく道路交通状況に集中するためには、ユーザーインタラクションを避けることが重要である。
【００１０】
更なる実施形態では、上記のユーザーインターフェースが、挿入された光記憶ディスクの少なくとも１つのペイロードデータシーケンスを選択するための、選択パラメータをさらに生成するように設計され、制御ユニットが、第３のサブユニットを含むものとされ、その第３のサブユニットが、選択パラメータの受取後において、選択されたペイロードデータシーケンスの一義的な指定を生成し、すでに存在するペイロードデータシーケンスのコピーに関し、挿入された光記憶ディスクの上記の一義的な識別を含むレジスタの内容を検査し、選択されたペイロードデータシーケンスのコピーが存在しない場合に、選択されたペイロードデータシーケンスの読出し、および読み出されたペイロードデータシーケンスのレジスタ内へのコピーを行うように、読出ユニットを制御するようにされ、その制御の間において、ペイロードデータシーケンスのコピーに、上記の一義的な指定が付与される。
【００１１】
ここで、「選択パラメータ」との用語は、個々のペイロードデータシーケンスに関するものであってもよいが、複数のペイロードデータシーケンス、または光記憶ディスク上に存在するすべてのペイロードデータシーケンスに関するものであってもよい。選択パラメータは、プロトコルに応じて、単一の値からなるもの、いくつかの値からなるもの、または全く値を有さないものであってもよい。全く値を有さないケースでは、明示的な選択パラメータがないことが、すべてのペイロードデータシーケンスの選択を示してもよい。
【００１２】
本発明に係る再生装置では、ペイロードデータシーケンスをメモリユニット内にコピーする処理の間における、集中的なユーザーインタラクションが避けられる。本発明は、とりわけ車載用分野のオーディオ装置に関するものなので、ユーザーが注意をそがれることなく道路交通状況に集中するためには、ユーザーインタラクションを避けることが重要である。本発明によれば、光記憶ディスクから、その挿入された光記憶ディスクの一義的な識別により特徴が指定されるレジスタ内への、ペイロードデータシーケンスのコピー処理は、選択されたペイロードデータシーケンスのコピーがまだ存在していない場合にのみ行われるので、コピーの消費時間を絶対的な最少限度まで減らすことができる。
【００１３】
ここで、コピー処理は、コピーそのものに限られると捉えられるべきではなく、コピーに際した圧縮および／または符号化処理も含まれる。ペイロードデータシーケンスの圧縮記憶は、メモリユニット内に、とりわけ多数のペイロードデータシーケンスを記憶することを可能とする。小さなメモリユニットを用いることは、再生装置のコストに関して、好ましい結果をもたらす。
【００１４】
本発明はまた、上記の読出ユニットと、制御ユニットと、メモリユニットとが、当該再生装置の１つのモジュール内に配されている再生装置にも関する。このことは、車載用の分野における必要条件を考慮すると特に重要なコンパクトな構成と、モジュールから独立して選択することのできる、装置の外観形状のフレキシブルな構成とを可能とする。
【００１５】
さらに、一義的な指定によるペイロードデータシーケンスの一義的な割当てと、一義的な識別により特徴が指定されるレジスタ内への記憶とは、再生目的のため、挿入された光記憶ディスクからのペイロードデータシーケンスと、メモリユニットからのペイロードデータシーケンスのコピーとを、任意の所望の順序で読み出すことを可能とするのみならず、再生目的のため、挿入された光記憶ディスクのペイロードデータシーケンスのコピーが存在する場合には、光記憶ディスク上にある対応のペイロードデータシーケンスに優先して、メモリユニット内にあるペイロードデータシーケンスのコピーを用いることも可能とする。こうして、メモリの内容も含めたペイロードデータシーケンス（メモリの内容全体と、挿入された光メモリディスクの内容とを合わせたもの）を用いることが可能となり、機械的な影響（たとえば衝撃）により再生時に生じる悪影響に対し、可能な限りの高い安全措置が実現される。
【００１６】
本発明はまた、少なくとも１つのペイロードデータシーケンスと１つの情報データシーケンスとを含む光記憶ディスクのための、メモリユニットを含む再生装置を動作させる方法にも関するものである。この方法は、再生装置に挿入された光記憶ディスクから、情報データシーケンスを読み出す工程と、その情報データシーケンスから、挿入された光記憶ディスクに一義的に割り当てられた識別子を生成する工程とを含む。この方法はさらに、コピーコマンドを受け取った後に、メモリユニット内に存在するレジスタを検査する工程と、挿入された光記憶ディスクに一義的に割り当てられた上記の識別により特徴が指定されるレジスタがまだ存在しない場合には、適用可能であればかかる新規なレジスタを生成する工程とを含む。
【００１７】
上記の方法はさらに、ペイロードデータシーケンスを選択するための選択パラメータを受け取る工程と、選択されたペイロードデータシーケンスの、一義的な指定を生成する工程と、挿入された光記憶ディスクに対応する識別を有するレジスタの、内容を検査する工程と、選択されたペイロードデータシーケンスのコピーがレジスタ内にまだ記憶されていない場合、選択されたペイロードデータシーケンスを、光記憶ディスクからレジスタ内にコピーする工程とを含んでいてもよい。コピー処理の後、ペイロードデータシーケンスのコピーには、一義的な指定が付与される。
【００１８】
ＣＤチェンジャーに代えてメモリチップを用いることは、装置の体積を減らし、上記で述べた再生装置において、通常のＣＤプレーヤーのハウジング内でＣＤチェンジャーの機能を実行できるようにすることを可能にする。ここで、メモリチップの容量は、決定的に重要なコスト上の課題である。この発明において規定する方法は、光記憶ディスク上の情報シーケンスに基づく構成と比較して、低いメモリ条件で、一義的な識別構成を可能とし、それにより、不必要なコピー工程を避けることで、コピー時間を減らすことを可能とする。
【発明を実施するための最良の形態】
【００１９】
以下、図面および実施形態を参照して、本発明をより詳細に説明する。
【００２０】
図１は、車載用の分野において典型的に使用される形態の、光記憶ディスクのための再生装置１を示している。この再生装置１は、前面にユーザーインターフェース２を有しており、このユーザーインターフェース２は、ここでは例として、多くの調整つまみ／ボタン、およびユーザーが光によるフィードバックを受けるディスプレイを伴う。このフィードバックは、たとえば再生中の光記憶ディスクに関する情報、またはメモリユニットの内容に関する情報とされる（図３参照）。明らかなことであるが、光によるフィードバックに代えて、音によるフィードバックがなされてもよく、ユーザーインターフェースは、音声インターフェースを備えるもの、または音声インターフェースからなるものであってもよい。加えて、再生装置１は、光記憶ディスクを挿入または取り出すためのコンパートメント３を有する。車載用の分野での再生装置である図示の実施形態では、再生装置１は、前面にユーザーインターフェース２を有する外側ケースと、光記憶ディスクが再生されるモジュール４とを含んでいる。
【００２１】
図２は、光記憶ディスクを再生するためのモジュール４を示している。光記憶ディスク５が、挿入または取出しの準備ができた状態で、モジュールの入口にある。このモジュールはさらに、プラグインコネクタ６を有し、これにより、再生装置との通信、たとえば、コマンドの受信や、光記憶ディスク５から読み出され電子信号に変換された情報の送信を行う。
【００２２】
光記憶ディスク５は、情報データシーケンスと、少なくとも１つのペイロードデータシーケンスとを有する。たとえば光記憶ディスクがオーディオＣＤ（ＣＤ−ＤＡ）である場合には、情報データシーケンスは、オーディオＣＤのＴＯＣ（Ｔａｂｌｅ  Ｏｆ  Ｃｏｎｔｅｎｔｓ）であり、ペイロードデータシーケンスは、オーディオＣＤ上にある様々なオーディオトラック（すなわちディスクに含まれる楽曲）である。このことは、図３に図示されている。オーディオＣＤの情報データシーケンスは、いわゆる「Ｔａｂｌｅ  Ｏｆ  Ｃｏｎｔｅｎｔｓ」すなわちＴＯＣである。ＴＯＣ内には、様々なオーディオトラックの開始位置が、分（ｍｉｎ）、秒（ｓ）およびフレーム（ｆｒａ；１秒は７５フレームを含む）を示すことにより含まれている。これは、オーディオＣＤ上の実際の再生時刻である。再生時刻に関する情報がオーディオＣＤ上の楽曲情報間に挿入され、再生装置１の制御ユニット（図４参照）は、開始時刻を探索する際に、読出ユニットを制御することにより、対応の物理的な位置を容易に見つけ出すことができる。実用的な例におけるＴＯＣの情報データは、ＣＤの一義的なフィンガープリントである。２つの異なるオーディオＣＤのＴＯＣは、ほとんど生じない例外的なケースにおいてのみ同一となる。図３に示した例では、４つのペイロードデータシーケンスＴ１、Ｔ２、Ｔ３、Ｔ４が、オーディオＣＤ上に存在している。個々のペイロードデータシーケンスの番号は、それぞれのペイロードデータシーケンスがその光記憶ディスク上に見出される順序を表す、続き番号を示す。この続き番号（オーディオＣＤのためのトラック番号とも呼ばれる）は、各ペイロードデータシーケンスを一義的に特定する。ＴＯＣは、これら４つのペイロードデータシーケンスに関する開始情報を含んでいる。さらに、オーディオＣＤは、リードアウト領域ＬＯを有する。このリードアウト領域ＬＯに関する開始情報も、ＴＯＣ内に存在する。このことは、各ペイロードデータシーケンスＴ１、Ｔ２、Ｔ３、Ｔ４について、再生の持続時間を特定することを可能にする。
【００２３】
図４は、光記憶ディスク５のための再生装置１の、１つの実施形態を示している。この実施形態は、光記憶ディスクのための読出ユニット６を含んでいる。光記憶ディスク上に存在する情報は、この読出ユニット６によって読み出される。読み出された情報は、制御ユニット７に伝えられる。ここで、制御ユニットは、様々な機能を実行し得る。たとえば、制御ユニットは、読み出されたデジタル情報を、増幅後に再生目的でスピーカー（図示せず）に供給される電子信号へと、変換することができる。制御ユニット７はまた、ユーザーインターフェース８にも接続されている。一例として、多くの調整つまみ／ボタンとディスプレイとを有するユーザーインターフェース８が図示されている。この実施形態では、ユーザーインターフェース８はまた、数字キーも有しており、これらの数字キーを用いて、たとえば番号が付けられたペイロードデータシーケンスを光記憶ディスクから選択することができる。ユーザーインターフェースは、たとえば左側に配されたハッチングされた制御ボタン８．１が押された際に、コピーコマンドを生成することができる。
【００２４】
さらに、再生装置１は、メモリユニット９を有している。レジスタＩＤ１およびＩＤ２が、メモリユニット内に例として示されている。レジスタＩＤ１内には、２つのデータセットＩＤ１−Ｔ１およびＩＤ１−Ｔ４が存在する一方、レジスタＩＤ２内には、１つのデータセットＩＤ２−Ｔ６のみが存在する。
【００２５】
この実施形態における制御ユニット７は、３つのサブユニット７．１、７．２、７．３を有している。第１のサブユニット７．１は、挿入された光記憶ディスク５の情報データの組から、この光記憶ディスク５の特徴を一義的に指定する識別を特定するように設計されている。この目的のため、第１のサブユニット７．１は、第１の読出動作において読出ユニット６により光記憶ディスクから読み出された、情報データを利用する。光記憶ディスクがたとえばオーディオＣＤである場合には、情報データシーケンスは、そのオーディオＣＤのＴＯＣ（Ｔａｂｌｅ  Ｏｆ  Ｃｏｎｔｅｎｔｓ）であり、これは、典型的にはオーディオＣＤの挿入後に読出ユニット６により自動的に（すなわち制御ユニット７の制御下で）読み出され、制御ユニット７に受け渡される。制御ユニット７は、情報データを保持するためのメモリ（図示せず）を備えていてもよく、あるいはメモリユニット９に情報データを保存してもよい。したがって、光記憶ディスクがオーディオＣＤである場合には、一義的な識別は、ＣＤＤＢ識別子からなるものであってもよい。ＣＤＤＢ識別子は、ＴＯＣから導出され、例外的なケースを除いては、１つのオーディオＣＤに一義的に割り当てられる。インターネットアクセスの場合には、ＣＤＤＢ識別子は、挿入されたオーディオＣＤに関するデータ（たとえばオーディオＣＤのタイトル、アーティスト、楽曲ナンバーのタイトル等）をデータベースからダウンロードするために用いられ得る。ここで説明している実施形態では、ＣＤＤＢ識別子は、ＣＤＤＢ識別子を特定するための既知のアルゴリズムを用いて、第１のサブユニット７．１により計算される。この例では、ＣＤＤＢ識別子は、８桁の１６進数である。
【００２６】
第２のサブユニット７．２は、ユーザーインターフェース８からコピーコマンドを受け取った後、光記憶ディスクの識別（たとえばＩＤ１）を用いて、その識別により特徴が指定されるレジスタをメモリユニット９内に生成する。この目的のため、第２のサブユニット７．２は、既存のレジスタ（Ｖ−ＩＤ１およびＶ−ＩＤ２）の指定が、挿入された光記憶ディスクの識別に対応するか否かに関し、それら既存のレジスタを比較する。挿入された光記憶ディスク５の識別子に対応する指定を有するレジスタが存在しない場合には、第２のサブユニット７．２は、挿入された光記憶ディスク５の識別を指定として有する、新たなレジスタを生成する。挿入された光記憶ディスク５の識別（たとえばＩＤ１）に対応する指定を有するレジスタ（たとえばＶ−ＩＤ１）がすでに存在する場合には、新たなレジスタは作製されない。その代わり、この光記憶ディスクに関してさらなる処理を行うため、Ｖ−ＩＤ１にアクセスがなされる。かかる自動的な処理により、ユーザーインターフェース８を介した集中的なユーザーアクションの必要性が回避される。このことは、特に車載用の分野においては、ユーザーが交通状況に集中でき、再生装置１によって注意をそがれることをなくすという結果をもたらす。識別（たとえばオーディオＣＤについてＣＤＤＢ識別子）の特定は、短く扱いやすい識別子であって、挿入された光記憶ディスク５のデジタル・フィンガープリントとしての特性も同時に有する識別子によって、レジスタの特徴を指定することを可能とする。
【００２７】
ユーザーインターフェースは、ユーザーインターフェース８を介してコピーコマンドが発せられた際に、選択パラメータを生成するように設計されている。この選択パラメータは、コピーコマンドを伴うさらなるデータが存在しないということから、コピーコマンドが挿入された光記憶ディスク５のすべてのペイロードデータシーケンスに関するものであると結論付けることにより、暗黙的に決定されてもよい。別の例では、ユーザーは、たとえばユーザーインターフェース上のキーを操作することにより、挿入された光記憶ディスクのペイロードデータシーケンスの１つ、複数またはすべてを選択し、選択された関連のペイロードデータシーケンスが、１つ、複数またはすべての明示的な選択パラメータの形態で、制御ユニットに伝達される。
【００２８】
第２のサブユニット７．２が、上記のようにして、その指定として挿入された光記憶ディスクの一義的な識別を有する新たなレジスタをメモリユニット９内に生成した後、またはそのようなレジスタがすでに存在することを認識した後、挿入された光記憶ディスク５のどのペイロードデータシーケンスをその特定されたレジスタにコピーするべきかが、選択パラメータを介して決定される。第３のサブユニット７．３は、挿入された光記憶ディスク５の対応のペイロードデータシーケンス（たとえばＴ３）が、読み出され、後続の記述でレジスタ（たとえばすでに生成されたレジスタＶ−ＩＤ１）内にコピーされるように、読出ユニット６を制御する。第３のサブユニット７．３は、この間、ペイロードデータシーケンスのコピーのため、またはそのペイロードデータシーケンスのコピー元である対応の光記憶ディスクのコピーのため、各ペイロードデータシーケンスについて一義的な指定（この例ではＩＤ１−Ｔ３）を生成する。その後、それぞれペイロードデータシーケンスのコピーに対応するデータ構造であって、それらの指定がそれぞれ１つのペイロードデータシーケンスを一義的に表すようなデータ構造が、レジスタＶ−ＩＤ１内に配される。最も単純なケースでは、一義的な指定は、挿入されたディスク上においてペイロードデータシーケンスを見出すことのできる、シーケンス内の番号である。すなわち、これは、オーディオＣＤ上のいわゆるトラック番号である。第３のサブユニット７．３は、実際の読出処理およびコピー処理に先立って、そのペイロードデータシーケンスの対応のコピーが、レジスタＶ−ＩＤ１内にすでに存在するか否かをチェックする。たとえば、選択パラメータより、シーケンス番号Ｔ１およびＴ３のペイロードデータシーケンスが、挿入された光記憶ディスク５からコピーされるべきことが特定された場合には、第３のサブユニット７．３は、レジスタＶ−ＩＤ１内に対応のコピーがすでに作られているか否かをチェックする。ここでの例では、シーケンス番号ＩＤ１−Ｔ１およびＩＤ１−Ｔ４を有するペイロードデータシーケンスのコピーが、すでに存在する。したがって、第３のサブユニット７．３は、続き番号Ｔ１を有するペイロードデータシーケンスに関しては何ら読出処理およびコピー処理を開始せず、続き番号Ｔ３を有するペイロードデータシーケンスに関してのみ読出処理およびコピー処理を開始する。第３のサブユニット７．３は、たとえばディスプレイ上における光によるフィードバックを介して、ユーザーに対し、ペイロードデータシーケンスＴ１がＩＤ１−Ｔ１としてコピーされた形態ですでに存在し、改めてコピーする必要がないことを示してもよいが、結果（すなわち、選択されたペイロードデータシーケンスＴ１のコピーＩＤ１−Ｔ１がメモリユニット９内に存在すること）はいずれにしても確保されるので、このユーザーに示す処理は省略されてもよい。コピー処理は、ペイロードデータシーケンスの１：１のコピーをメモリユニット内に生成する処理であってもよいし、たとえばＭＰ３コードまたは「高効率ＡＡＣ」コードを用いて、ペイロードデータシーケンスが、損失を伴ってまたは損失を伴わずに、コンバータ１０内で圧縮または符号化されてもよい。これらの処理は、車載用の分野に適したより小さなメモリ、たとえば、音質を損わない３２ｋｂｐｓの圧縮で約６枚のオーディオＣＤの内容をコピーすることのできる、１２８メガバイトのフラッシュメモリチップを用いることを可能とする。小さなメモリの使用は、特に車載用の分野では、１つの決定的に重要なコスト要素である。すなわち、体積の小さなメモリチップは、通常のＣＤプレーヤーのハウジング内において、ＣＤチェンジャーの機能を実現することができる（図２参照）。
【００２９】
上記で説明した自動的なコピー処理は、ユーザーとのインタラクションを何ら必要としない。これにより、特に車載用の分野においては、ユーザーは、再生装置との必要なインタラクションによって注意をそがれることなく、道路の交通状況に集中し続けられる。
【００３０】
光記憶ディスク５のための読出ユニット６を、メモリユニット９と組み合わせて用いることは、たとえば、メモリユニットが満杯であるためにコピー処理がもはや不可能である場合において、記憶済みのペイロードデータシーケンスＩＤ１−Ｔ１およびＩＤ１−Ｔ４と同様に、光記憶ディスクからの記憶されていないペイロードデータシーケンスＴ２も、所望の任意の順序で再生することを可能とする。挿入された光記憶ディスク５のペイロードデータシーケンスＴ１の部分が、コピーＩＤ１−Ｔ１としてメモリユニット９内にすでに記憶されている場合もあり得る。光記憶ディスク５に一義的に割り当てられた識別子ＩＤ１の存在、およびペイロードデータシーケンスのコピーＩＤ１−Ｔ１ならびにＩＤ１−Ｔ４の一義的な指定の作用により、機械的な干渉が再生に及ぼす影響を低減させるため、ペイロードデータシーケンスの記憶済みのコピーの再生が優先されてもよい。
【００３１】
図５は、上記の説明に従う再生装置を動作させる際の、各処理工程を示している。装置のスイッチが入れられた後、ステップＳ１において、光記憶ディスクが再生装置内に挿入される。ステップＳ２では、光記憶ディスクから、情報データシーケンスが読み出される。ステップＳ３では、光記憶ディスクの一義的な識別が、この実施形態における情報データシーケンスから特定される（たとえば、オーディオＣＤの場合には、ＣＤＤＢ識別子がＴＯＣのデータから算出される）。ステップＳ４において、コピーコマンドが受信され、ステップＳ５において、一義的な識別子を有するレジスタがメモリユニット９内にすでに存在するか否かが検査される。これが存在しない場合には（レジスタがすでに存在するために何らレジスタが生成されないＹで示した経路に対し、Ｓ５とＳ６との間の経路にＮで示されている）、ステップＳ６において、一義的な識別を有する新たなレジスタが、メモリユニット内に生成される。ステップＳ７では、まずステップ３で特定された光記憶ディスクの一義的な識別を用いて（たとえば、光記憶ディスク上のペイロードデータシーケンスの続き番号に基づいて）、コピーされるべき第１のペイロードデータシーケンスの一義的な指定が、（暗黙的または明示的に）示された選択パラメータに基づいて決定され、その後、ステップＳ８において、選択されたペイロードデータシーケンスのコピーが、上記の一義的な識別により特徴が指定されるレジスタ内にすでに存在するか否かが検査される。明白なことであるが、ステップＳ６においてレジスタが生成された場合には、この検査は省略されてもよい。ペイロードデータシーケンスのコピーが存在する場合には、コピー処理はスキップされ（ステップＳ８とステップＳ１１との間の経路にＹで示されている）、そうでなければ、ステップＳ９において、選択されたペイロードデータシーケンスが光記憶ディスクから読み出され、ステップＳ１０において、一義的な指定により特定されるペイロードデータシーケンスのコピーが、一義的な識別を有するレジスタ内に生成される。この処理は、すべての選択されたペイロードデータシーケンスに対して、ステップＳ７から繰り返される（点線で示してある）。ステップＳ１１において、ここで一例として述べる実施形態では、たとえば「コピー処理完了」という音声メッセージ等を用いて音声により、応答メッセージがユーザーに与えられる。これで処理が終了する。光記憶ディスクは、取り出されてもよいし、ペイロードデータシーケンスの再生のため読出ユニット内に残されてもよい。取出しの後、さらなるコピー処理のため、またはペイロードデータシーケンスの再生のために、別の光記憶ディスクが挿入されてもよい。あるいは、ペイロードデータシーケンスのコピーがメモリユニットから読み出されて、再生されてもよい（たとえば、オーディオペイロードデータシーケンスの場合には、スピーカーを介して）。コピー処理中において、ペイロードデータシーケンスは、非圧縮状態で記憶されてもよいし、圧縮／符号化状態で記憶されてもよい。
【図面の簡単な説明】
【００３２】
【図１】光記憶ディスクのための再生装置を示した図
【図２】光記憶ディスクが挿入／取出位置にある状態の、光記憶ディスクのための再生装置に使用する記憶ディスクモジュールを示した図
【図３】オーディオＣＤ（ＣＤ−ＤＡ）の例を用いて、光記憶ディスクの情報データシーケンスおよびいくつかのペイロードデータシーケンスの配列を示した模式図
【図４】本発明に従う１つの実施形態における、光記憶ディスクのための再生装置の内部構成を示した図
【図５】上記の再生装置を動作させる際の各処理工程を示したフローチャート
【図１】
2008503846.tif 000003
【図２】
2008503846.tif 000004
【図３】
2008503846.tif 000005
【図４】
2008503846.tif 000006
【図５】
2008503846.tif 000007
【国際調査報告】
2008503846.tif 000008
2008503846.tif 000009
2008503846.tif 000010
2008503846.tif 000011